(57)【特許請求の範囲】
【請求項１】
エンジンから抜き出したブローバイガスをベンチレータを介しオイルミストを分離回収して吸気管に戻すようにしたクローズドブリーザシステムにおいて、吸気管の中途部に該中途部を全周に亘り取り囲むように覆う環状のチャンバを設け、該チャンバに対しベンチレータからブローバイガスを導くガス戻し管を接続すると共に、前記吸気管の中途部に吸気管を分断するように前記チャンバの内部空間と吸気管の内部流路とを環状に連通する連通部を形成したことを特徴とするクローズドブリーザシステム。
【発明の詳細な説明】
【技術分野】
【０００１】
本発明は、クローズドブリーザシステムに関するものである。
【背景技術】
【０００２】
エンジンの圧縮行程と爆発行程においてピストンリングの間隙よりクランクケースへ漏れ出るブローバイガスは、クランクケース内及び該クランクケースと連通しているシリンダヘッドカバー内に充満してくるため、これらの内部から外部に抜き出す必要があるが、クランクケース内ではクランク軸及びコネクティングロッド等が高速で動いており、クランクケースと連通するシリンダヘッドカバー内においてもロッカアーム及びバルブ等が作動しているため、クランクケースやシリンダヘッドカバーの内部はオイルミストが充満した状態にある。
【０００３】
このため、ブローバイガスをそのまま大気放出してしまうと、該ブローバイガスに混合しているオイルミストも外部へ排出されてしまう虞れがあるため、図２に示す如く、ブローバイガス１中のオイルミストを分離回収するための濾網又はラビリンス構造を内蔵したベンチレータ２（ＣＣＶ：Closed Crankcase Ventilator）を設け、エンジン３のシリンダヘッドカバー４からガス抜出管５を介して抜き出したブローバイガス１を前記ベンチレータ２を通すことによりオイルミストを分離回収してからガス戻し管６を介して吸気管７に戻し、前記ベンチレータ２で回収したオイル８をオイル回収管９を介し図示しないオイルパンへと戻すようにしている。
【０００４】
尚、図２中における１０はエアクリーナ、１１はターボチャージャ、１１ａはタービン、１１ｂはコンプレッサ、１２はインタークーラ、１３は吸気、１４は排気ガスを夫々示している。
【０００５】
一般的に、前述の如きブローバイガス１をクローズドサーキットで処理するシステムはクローズドブリーザシステムと称されているが、この種のクローズドブリーザシステムに関連する先行技術文献情報としては下記の特許文献１等がある。
【先行技術文献】
【特許文献】
【０００６】
【特許文献１】特開２００３−２７８５２３号公報
【発明の概要】
【発明が解決しようとする課題】
【０００７】
しかしながら、斯かる従来のクローズドブリーザシステムにおいては、図３に拡大して示す如く、ガス戻し管６の吸気管７に対する戻し口６ａが吸気１３により直接冷やされる構造となっているため、極低温下における長時間のアイドル運転時やエンジンルーム内の温度が上がらない低速走行運転時等において、ブローバイガス１中に含まれる水分が前記戻し口６ａで結露し、その結露水がそのまま凍結することで前記戻し口６ａが閉塞してしまうことがあり、このような場合にクランクケース内の圧力が上昇して油漏れを誘発する虞れがあった。
【０００８】
また、ガス戻し管６の吸気管７に対する戻し口６ａに電熱ヒータを設置して加熱することも提案されているが、このような電熱ヒータの設置は、コストの大幅な増加を招いてしまうという問題がある。
【０００９】
本発明は上述の実情に鑑みてなしたもので、ガス戻し管の吸気管に対する戻し口でブローバイガス中の水分が結露して凍結することにより生じる閉塞をコストの大幅な増加を招くことなく確実に防止し得るようにすることを目的としている。
【課題を解決するための手段】
【００１０】
本発明は、エンジンから抜き出したブローバイガスをベンチレータを介しオイルミストを分離回収して吸気管に戻すようにしたクローズドブリーザシステムにおいて、吸気管の中途部に該中途部を全周に亘り取り囲むように覆う環状のチャンバを設け、該チャンバに対しベンチレータからブローバイガスを導くガス戻し管を接続すると共に、前記吸気管の中途部に吸気管を分断するように前記チャンバの内部空間と吸気管の内部流路とを環状に連通する連通部を形成したことを特徴とするものである。
【００１１】
而して、このようにすれば、ガス戻し管の戻し口がチャンバを介して間接的に吸気管と接続されることになり、ガス戻し管の戻し口が吸気の流れに直接的に晒されなくなるため、極低温下における長時間のアイドル運転時やエンジンルーム内の温度が上がらない低速走行運転時等においても、ガス戻し管の戻し口でブローバイガス中の水分が結露して凍結してしまうような事態が起こらなくなる。
【００１２】
また、このようにガス戻し管の戻し口での凍結を回避するにあたり、電熱ヒータの如き高コストの付帯設備を必要とすることがなく、ガス戻し管の戻し口をチャンバを介し間接的に吸気管と接続するという構造的な工夫だけで済むため、コストの大幅な増加を招くことなく低コストで実施することが可能となる。
【００１３】
尚、連通部でブローバイガス中の水分が結露することは起こり得るが、連通部の開口面積は、チャンバにより覆われた範囲内でいくらでも大きく拡張することが可能であり、連通部が結露水の凍結により閉塞される事態を回避することは容易である。
【００１４】
また、連通部の一部で結露水の凍結が起こったとしても、アイドル運転や低速走行運転から高速走行運転へ移行してエンジン側からの伝熱によりチャンバが暖まれば、直ぐに解凍して蒸発し、ブローバイガスと共に吸気管へと排除されることになる。
【発明の効果】
【００１６】
上記した本発明のクローズドブリーザシステムによれば、電熱ヒータの如き高コストの付帯設備を必要とすることなく、ガス戻し管の戻し口をチャンバを介し間接的に吸気管と接続するという構造的な工夫を施すだけで、ガス戻し管の戻し口が吸気の流れに直接的に晒されないようにすることができ、ガス戻し管の戻し口でブローバイガス中の水分が結露して凍結することにより生じる閉塞をコストの大幅な増加を招くことなく確実に防止することができるという優れた効果を奏し得る。
【図面の簡単な説明】
【００１７】
【図１】本発明を実施する形態の一例を示す断面図である。
【図２】従来例を示す全体概略図である。
【図３】図２のクローズドブリーザシステムの要部を拡大して示す断面図である。
【発明を実施するための形態】
【００１８】
以下本発明の実施の形態を図面を参照しつつ説明する。
【００１９】
図１は本発明を実施する形態の一例を示すもので、図２及び図３と同一の符号を付した部分は同一物を表わしている。
【００２０】
図１に示す如く、本形態例においては、図２と同様に構成したクローズドブリーザシステムに関し、吸気管７の中途部に該中途部を全周に亘り取り囲むようにチャンバ１５が環状に設けられており、該チャンバ１５に対しベンチレータ２（図２参照）からブローバイガス１を導くガス戻し管６が接続されていると共に、前記吸気管７の中途部に前記チャンバ１５の内部空間と吸気管７の内部流路とを連通する連通部１６が前記吸気管７を分断するように環状に形成されている。
【００２１】
而して、このようにクローズドブリーザシステムを構成すれば、ガス戻し管６の戻し口６ａがチャンバ１５を介して間接的に吸気管７と接続されることになり、ガス戻し管６の戻し口６ａが吸気１３の流れに直接的に晒されなくなるため、極低温下における長時間のアイドル運転時やエンジンルーム内の温度が上がらない低速走行運転時等においても、ガス戻し管６の戻し口６ａでブローバイガス１中の水分が結露して凍結してしまうような事態が起こらなくなる。
【００２２】
また、このようにガス戻し管６の戻し口６ａでの凍結を回避するにあたり、電熱ヒータの如き高コストの付帯設備を必要とすることがなく、ガス戻し管６の戻し口６ａをチャンバ１５を介し間接的に吸気管７と接続するという構造的な工夫だけで済むため、コストの大幅な増加を招くことなく低コストで実施することが可能となる。
【００２３】
尚、連通部１６でブローバイガス１中の水分が結露することは起こり得るが、連通部１６の開口面積は、チャンバ１５により覆われた範囲内でいくらでも大きく拡張することが可能であり、連通部１６が結露水の凍結により閉塞される事態を回避することは容易である。
【００２４】
特に本形態例の場合には、吸気管７を分断するように環状に連通部１６を形成しているので、ガス戻し管６の戻し口６ａと比較して開口面積が十分に広く且つその全てが閉塞してしまうほどの凍結が極めて起こり難い連通部１６となる。
【００２５】
また、連通部１６の一部で結露水の凍結が起こったとしても、アイドル運転や低速走行運転から高速走行運転へ移行してエンジン３（図２参照）側からの伝熱によりチャンバ１５が暖まれば、直ぐに解凍して蒸発し、ブローバイガス１と共に吸気管７へと排除されることになる。
【００２６】
従って、上記形態例によれば、電熱ヒータの如き高コストの付帯設備を必要とすることなく、ガス戻し管６の戻し口６ａをチャンバ１５を介し間接的に吸気管７と接続するという構造的な工夫を施すだけで、ガス戻し管６の戻し口６ａが吸気１３の流れに直接的に晒されないようにすることができ、ガス戻し管６の戻し口６ａでブローバイガス１中の水分が結露して凍結することにより生じる閉塞をコストの大幅な増加を招くことなく確実に防止することができる。
【００２７】
尚、本発明のクローズドブリーザシステムは、上述の形態例にのみ限定されるものではなく、本発明の要旨を逸脱しない範囲内において種々変更を加え得ることは勿論である。
【符号の説明】
【００２８】
１  ブローバイガス
２  ベンチレータ
３  エンジン
６  ガス戻し管
６ａ  戻し口
７  吸気管
１３  吸気
１５  チャンバ
１６  連通部
【図１】
0005950592.tif 000002
【図２】
0005950592.tif 000003
【図３】
0005950592.tif 000004